(57)【特許請求の範囲】
【請求項１】
給紙部から給紙される連続用紙に、この連続用紙に印刷されたタイミングマークごとにプリント内容が異なる絵柄を印字すると共に、この印字を乾燥機にて乾燥するようにしたインクジェットプリンタ部と、印刷機の印刷胴の位相を上記タイミングマーク位置に合わせて印刷を行う印刷部とを連続用紙の搬送ライン上に設け、
上記印刷部にての印刷長さを連続用紙に印刷されたタイミングマークの間隔と同じとし、
上記インクジェットプリンタ部と印刷部との間に、連続紙に印刷されているタイミングマークを検出するタイミングマークセンサと、連続用紙を印刷部へ繰り出す繰り出し制御ロールを設け、
タイミングマークセンサによる検出信号と印刷部における単位用紙搬送量情報とにより得られる位相指令と単位用紙搬送量情報による速度指令とに基づいて上記印刷部の印刷胴が印刷長さに相当する回転分回転するごとに、上記タイミングマークがタイミングマーク検出部を通過するように上記繰り出し制御ロールの回転速度を制御する繰り出し制御部を設けた
ことを特徴とする可変情報印刷装置。
【発明の詳細な説明】
【技術分野】
【０００１】
本発明は、プリント内容がプリント面ごとに変化するバリアブルデータの印字機能と共に、スクラッチ印刷物のスクラッチ層等、バリアブルデータの上に重ねる印刷をオンラインにて同時に処理可能にした可変情報印刷装置に関するものである。
【背景技術】
【０００２】
インクジェットプリンタにて可変情報データの印字後、バリアブルデータの上に重ねるよう隠蔽層を印刷して上記バリアブルデータを保護するものが知られている（例えば、特許文献１参照）。
【０００３】
【特許文献１】特開２００２−１８７３３８号公報(段落（００１６）、（００２２）、図１、図５)
【発明の開示】
【発明が解決しようとする課題】
【０００４】
インクジェットプリンタで可変情報データを形成する上記特許文献１における機密情報データ層形成部では、プリプリントされた見当マークを検出し、これの検出タイミングを基準にしてプリプリントの位相及びピッチに対応したインクジェットプリンタによる印字タイミングを演算算出し、見当マーク検出位置の下流側に設置されたインクジェットプリント装置にて印字を行ったとき、このときのインクが水性である場合に、連続用紙が伸びる現象が生じる。
【０００５】
また、印字面を乾燥させるための乾燥機部では、水分蒸発により連続用紙が縮む現象が生じることになる。
【０００６】
その結果、上記特許文献１におけるロールコータやチャンバドクタ方式フレキソ印刷機による隠蔽層印刷工程において製品仕様に合わせたパターン印刷を行おうとした場合に、プリントに合わせた印刷が、位相的にも連続印刷面のピッチにおいても位置ズレを発生して適正処理ができなくなり、バリアブルデータの印字と印字の上に重ねるよう印刷を行うシステムの課題となっていた。
【０００７】
本発明は上記のことに鑑みなされたもので、バリアブルデータによるインクジェットプリンタの印字とスクラッチ印刷物のスクラッチ層など、バリアブルデータ上に重ねる印刷を位置ズレが生じることなくオンラインにて可能にした可変情報印刷装置を提供しようとするものである。
【課題を解決するための手段】
【０００８】
上記目的を達成するために、本発明に係る可変情報印刷装置は、給紙部から給紙される連続用紙に、この連続用紙に印刷されたタイミングマークごとにプリント内容が異なる絵柄を印字すると共に、この印字を乾燥機にて乾燥するようにしたインクジェットプリンタ部と、印刷機の印刷胴の位相を上記タイミングマーク位置に合わせて印刷を行う印刷部とを連続用紙の搬送ライン上に設け、
上記印刷部にての印刷長さを連続用紙に印刷されたタイミングマークの間隔と同じとし、
上記インクジェットプリンタ部と印刷部との間に、連続紙に印刷されているタイミングマークを検出するタイミングマークセンサと、連続用紙を印刷部へ繰り出す繰り出し制御ロールを設け、
タイミングマークセンサによる検出信号と印刷部における単位用紙搬送量情報とにより得られる位相指令と単位用紙搬送量情報による速度指令とに基づいて上記印刷部の印刷胴が印刷長さに相当する回転分回転するごとに、上記タイミングマークがタイミングマーク検出部を通過するように上記繰り出し制御ロールの回転速度を制御する繰り出し制御部を設けた構成となっている。
【発明の効果】
【０００９】
本発明によれば、水性インクと乾燥機を使用するインクジェットプリンタによるバリアブルデータの印字と、バリアブルデータの上に重ねる印刷が位置ズレを生じることなくオンラインにて可能となる。
【００１０】
また、インクジェットプリンタによる印刷の後に、版胴を用いた通常の印刷、あるいはパンチ、横ミシン等の後加工がオンラインにて可能となり、製品仕様に対する設備的な対応可能範囲を広げることができる。
【発明を実施するための最良の形態】
【００１１】
図１は本発明の実施の形態を示すもので、図中１はロール紙２から連続用紙２ａを給紙ロール装置３にて給紙するようにした給紙部、４は複数のプリントヘッド５ａ，５ｂ，５ｃ…を有して、上記連続用紙２ａに水性インクにてバリアブルデータに基づいて所定の印字を行うインクジェットプリンタ部であり、このインクジェットプリンタ部４にはプリント後の連続用紙２ａが通る乾燥機６を有している。７はインクジェットプリンタ部４の下流側に設けられ、繰り出し制御ロール７ａを有する繰り出し制御部である。
【００１２】
８は上記繰り出し制御部７の繰り出し制御ロール７ａから送られてくる連続用紙２ａに易剥離層、スクラッチ隠蔽層を形成する印刷部であり、例えば９は易剥離層印刷機、１０はスクラッチ層印刷機である。これらは版胴と圧胴を用いた印刷装置と同一の構成になっている。１１は各印刷機の下流側に設けた乾燥機である。１２は巻き取り牽引ロール装置１３にて巻き取り牽引する連続用紙２ａにパンチ穴、横ミシン目などを加工する後処理部である。１４は巻き取りロールである。
【００１３】
上記給紙部１の給紙ロール装置３、繰り出し制御部７の繰り出し制御ロール７ａ、印刷部８の各印刷機９，１０、さらに後処理部１２、巻き取り牽引ロール装置１３は主駆動モータ１５にて同期駆動されるようになっている。１６はこの主駆動モータ１５の回転速度を検出するロータリーエンコーダである。この駆動系において、繰り出し制御部７の繰り出し制御ロール７ａは繰り出し制御用のサーボモータ１７にて制御される位相速度変換装置１８を介して駆動されるようになっている。
【００１４】
上記給紙部１より給紙される連続用紙２ａには、別の印刷ラインにて、上記インクジェットプリンタ部４及び印刷部８にて連続的に繰り返し印刷される印刷絵柄の１面分の長さ間隔ごとに見当合わせ用のタイミングマーク（図示せず）があらかじめ印刷されている。そしてこのタイミングマークを検出する第１のタイミングマークセンサ１９がインクジェットプリンタ部４の上流側直前に設けてあり、第２のタイミングマークセンサ２０が繰り出し制御部７の送り制御ロール７ａの下流側直後に設けてある。
【００１５】
上記した装置における作用を、図２に示したブロック線図を参照しながら図１にて説明する。
【００１６】
給紙部１から給紙ロール装置３にて給紙された連続用紙２ａは、第１のタイミングマークセンサ１９にてこれにあらかじめ印刷されているタイミングマークが検出され、このタイミングマークセンサ１９からインクジェットプリンタ部４の各プリントヘッド５ａ，５ｂ，５ｃ，５ｄの印字位置間距離及びロータリーエンコーダ１６より得られる用紙搬送情報に基づいて所定位置の所定範囲にわたってインクジェットプリンタ部４にて印字が行われる。その後、連続用紙２ａは乾燥機６を通って乾燥されてから印刷部８にて印刷が行われるようになっている。
【００１７】
このときにおいて、インクジェットプリンタ部４にての印字及び乾燥機６による乾燥により連続用紙２ａの含有水分量が不安定に変化し、印刷部８での印刷の際にその印刷位置精度である見当精度が不安定になり、適正な印刷ができなくなることがある。
【００１８】
例えば、インクジェットプリンタ４の乾燥機６を通過した連続用紙２ａの含有水分が多く、このときの湿潤により連続用紙２ａが延びて、タイミングマークの間隔がロータリーエンコーダ１６により得られる単位用紙搬送量情報に比較して長くなっている場合には、そのままこの連続用紙２ａが印刷部８に送られると、各印刷機９，１０による印刷位相がインクジェットプリンタ４によるプリント位相に対して遅れる方向にずれてしまうことになる。
【００１９】
そのため、このような場合には、繰り出し制御ロール７ａによる連続用紙２ａの繰り出し速度を、上記タイミングマークの間隔の長くなった分だけ早くなるようにして、各タイミングマークがロータリーエンコーダ１６により得られる単位用紙搬送量情報に基づいて、印刷機９側へ通過するべきタイミングにて通過するよう制御する。この場合、送り制御ロール７ａの回転速度を上記タイミングマークの間隔の大きい分だけ速める。
【００２０】
上記作用は図２に示されるブロック図に従って行われる。インクジェットプリンタ４の下流側におけるタイミングマークは第２のタイミングマークセンサ２０にて検出され、このときのタイミング信号と、ロータリーエンコーダ１６からの単位用紙搬送量情報とが位相演算部２１にて比較演算され、このときの位相差が位相指令としてドライバー２２に入力される。一方、ドライバー２２にはロータリーエンコーダ１６から速度指令がドライバー２２に入力されていて、この両指令に基づく制御信号が繰り出し制御用のサーボモータ１７に入力され、このサーボモータ１７にて位相速度変換器１８を介して送り制御ロール７ａの回転が制御される。
【００２１】
このようにプリプリントされたタイミングマークが、印刷部にての絵柄の１面の長さごとでプリントされている場合には、印刷部８の各印刷機９，１０が回転分回転したことをロータリーエンコーダ１６が検出したときに、繰り出し制御ロール７ａの直後に設けられた第２のタイミングマークセンサ２０が常にタイミングマークを検出するように送り制御ロール７ａの回転速度が制御される。
【００２２】
上記繰り出し制御ロール７ａの通常の周速は、連続用紙２ａの紙幅、用紙斤量、用紙種、搬送ロールの引き率設定などにより決まる連続用紙２ａの印刷条件が入力されている記憶装置２３に記憶された伸び率データにより設定される。
【００２３】
印刷部８での回転ごとに繰り出し制御部７においては、常時プリプリントされたタイミングマークが常時定位置に保持制御されて所定周速度にて連続用紙２ａが繰り出されることにより、この繰り出し制御部以降に設けられた各印刷部の印刷胴の位相をこのタイミングマーク位置に合わせれば、連続印刷の状態においてもその位置が保持され、安定した印刷位置精度で印刷が可能となる。また、後処理部１２もパンチ、横ミシンの位置をタイミングマークにあわせることで、安定した加工位置精度で加工が行える。
【００２４】
また、上記した実施の形態では、主駆動モータ１５にて装置全体を駆動する構成になっているが、各装置部分をそれぞれ単独モータにて駆動して電気的な同期制御を行うようにした構成においても同様構成にて同様の効果が得られることは明らかである。
【００２５】
また、白紙の連続用紙２ａを給紙部１より給紙し、ロータリーエンコーダ１６の走行量データに基づいてインクジェットプリンタ部４にてタイミングマークも同時に印字し、そのタイミングマークにより繰り出し制御部７にて繰り出し制御を行って印刷部８にて印刷を行うことも可能である。
【００２６】
さらに、連続用紙２ａの走行量検出はロータリーエンコーダ１６に限らず、駆動モータの回転信号など他の手段によっても検出制御は可能である。
【図面の簡単な説明】
【００２７】
【図１】本発明の実施の形態を概略的に示す説明図である。
【図２】繰り出し制御部を示すブロック線図である。
【符号の説明】
【００２８】
１…給紙部、２…ロール紙、２ａ…連続用紙、３…給紙ロール装置、４…インクジェットプリンタ部、５ａ，５ｂ，５ｃ，５ｄ…プリントヘッド、６…乾燥機、７…繰り出し制御部、７ａ…繰り出し制御ロール、８…印刷部、９…易剥離層印刷機、１０…スクラッチ層印刷機、１１…乾燥機、１２…後処理部、１３…巻き取り牽引ロール、１４…巻き取りロール、１５…主駆動モータ、１６…ロータリーエンコーダ、１７…サーボモータ、１８…位相速度変換装置、１９，２０…タイミングマークセンサ、２１…位相演算部、２２…ドライバー、２３…記憶装置。
【図１】
0005140338.tif 000002
【図２】
0005140338.tif 000003